(57)【要約】      （修正有）【課題】製造が容易であり、小型化に有利であるプッシュスイッチを提供する。【解決手段】本プッシュスイッチは、上方に開口する底壁１１の内面に電気的に独立した複数の固定接点を備えた絶縁樹脂製のケースと、復元変形可能に反転変形して上記固定接点同士を接着および離間させるドーム状に形成された金属板製の可動接点と、前記ケースの収容空間内に収納され、前記可動接点の上方位置に位置する押圧部４３１を備え、押圧により前記押圧部が上下動する弾性体と、上記ケースの収容空間の上面を覆うように前記ケースに取り付けられたカバー６とを含む。弾性体は、筒状の周囲部４１と、該周囲部の中央孔内の円柱部４３と、前記周囲部と円柱部とを連結する薄肉部４２とを有して一体に成型され、前記押圧部は前記円柱部の下端面から突出し、前記薄肉部は、前記円柱部の外周部の下方部分から延出形成された下面が開口する円錐状部からなる。【選択図】図４
0003172749.tif 000002
【実用新案登録請求の範囲】
【請求項１】
上方に開口する底壁の内面に電気的に独立した複数の固定接点を備えた絶縁樹脂製のケースと、
復元変形可能に反転変形して前記固定接点同士を接着および離間させるドーム状に形成された金属板製の可動接点と、
前記ケースの収容空間内に収納され、前記可動接点の上方位置に位置する押圧部を備え、押圧により前記押圧部が上下動する弾性体と、
前記ケースの前記収容空間の上面を覆うように前記ケースに取り付けられたカバーと、
を含むプッシュスイッチにおいて、
前記弾性体は、筒状の周囲部と、前記周囲部の中央孔内の円柱部と、前記周囲部と前記円柱部とを連結する薄肉部と、を有して一体に成型され、
前記押圧部は、前記円柱部の下端面から突出し、前記薄肉部は、前記円柱部の外周部の下方部分から延出形成された下面が開口する円錐状部からなることを特徴とするプッシュスイッチ。
【請求項２】
前記弾性体の前記押圧部は、非押圧状態で前記可動接点の中央のドーム部に当接していることを特徴とする請求項１に記載のプッシュスイッチ。
【請求項３】
前記弾性体の前記押圧部は、前記周囲部の下部より前記ケースの前記底壁の内面に隣接していることを特徴とする請求項１または２に記載のプッシュスイッチ。
【請求項４】
前記弾性体は、前記周囲部の上端から延出し、前記カバーと前記ケースとの間に保持される保持部を備えることを特徴とする請求項１ないし３の何れか一項に記載のプッシュスイッチ。
【請求項５】
前記プッシュスイッチは、前記弾性体の前記円柱部の上部に配置される押ボタンを備え、前記押ボタンは、前記カバーを貫通し突出する操作部と、前記弾性体の前記周囲部の前記中央孔内に収容される係止部と、を含み、前記係止部が前記カバーに当接できることを特徴とする請求項１ないし４の何れか一項に記載のプッシュスイッチ。
【考案の詳細な説明】
【技術分野】
【０００１】
本考案はスイッチに関して、特に、各種電子機器の入力操作部に使用される耐久性の優れたプッシュスイッチに関するものである。
【背景技術】
【０００２】
電子機器の入力操作部に使用されるプッシュスイッチは、小型で耐久性が優れていると共に、不用意に操作部に触れた場合の誤動作を防止するために、所定の大きさの反発力を有し、復元変形可能に動作することを要求されるので、ゴム製ドーム形状のばね体を用いるものが多い。
【０００３】
従来技術のプッシュスイッチは、特許文献１に示すように、上方が開口する凹部の底面に電気的に独立した複数の固定接点を備えた絶縁樹脂製のケースと、復元変形可能に反転変形して上記固定接点同士を接着および離間させるドーム状に形成された金属板製の可動接点と、上記ケースの凹部内に収納され、上記可動接点の上方位置に一定の距離を空けて位置する押圧部を備え、押圧により、復元変形可能に撓んで上記押圧部が上下動する弾性体と、上記ケースの凹部の上面を覆うように上記ケースに取り付けられたカバーと、を有する。前記弾性体は、可動接点の径とほぼ同一径の筒状の周囲部と、上部が操作部分としてなる円柱部と、前記周囲部と円柱部とを連接する薄肉部と、その円柱部の下端面において小径で下方に突出する押圧部と、を一体に形成するように備えている。薄肉部は、円柱部の外周部の下方部分から延出形成された下面が開口する円錐状部と、その下端部に繋がる水平部と、からなり、押圧部の下端位置が、可動接点の中央頂点部の上面に対し所定の間隔を空けて対面する位置に保たれている。使用する時に、カバーから突出した弾性体の円柱部の上端を押圧すると、弾性体の円錐状部の水平部からの角度が若干緩やかになると共に、リング状の水平部の中央側が下がっていくように撓んでいき、押圧部の下端面と可動接点の上面との間の距離がなくなって両者が当接する状態に移行する。
【先行技術文献】
【特許文献】
【０００４】
【特許文献１】特開２００６−１２０３９７号公報
【考案の概要】
【考案が解決しようとする課題】
【０００５】
しかしながら、弾性体の押圧部の下端位置は、可動接点の中央頂点部の上面に対し所定の間隔を空けて対面する位置に保たれているので、このために、プッシュスイッチの操作ストロークが大きくなり、プッシュスイッチの小型化に不利であり、また、従来技術のプッシュスイッチは弾性体の構造が複雑になるので、金型の構造が複雑になって、成型および製造において不良率が高くなる恐れがあった。
【０００６】
本考案は、製造が容易であり、小型化に有利であるプッシュスイッチを提供することを目的とする。
【課題を解決するための手段】
【０００７】
本考案は、上方が開口する底壁の内面に電気的に独立した複数の固定接点を備えた絶縁樹脂製のケースと、復元変形可能に反転変形して上記固定接点同士を接着および離間させるドーム状に形成された金属板製の可動接点と、前記ケースの収容空間内に収納され、前記可動接点の上方位置に位置する押圧部を備え、押圧により前記押圧部が上下動する弾性体と、上記ケースの収容空間の上面を覆うように前記ケースに取り付けられたカバーと、を含むプッシュスイッチにおいて、前記弾性体は、筒状の周囲部と、前記周囲部の中央孔内の円柱部と、前記周囲部と円柱部とを連結する薄肉部と、を有して一体に成型され、前記押圧部は前記円柱部の下端面から突出し、前記薄肉部は、前記円柱部の外周部の下方部分から延出形成された下面が開口する円錐状部からなることを特徴とする。
【考案の効果】
【０００８】
従来技術に比べ、本考案のプッシュスイッチは以下の利点を有し、弾性体の構造が簡素になり、製造に有利になって、また、弾性体の押圧部が可動接点のドーム部に当接するので、押ボタンを所定の押圧力で押圧すると、弾性体４の操作ストロークが短くなり、プッシュスイッチの小型化に有利である。
【図面の簡単な説明】
【０００９】
【図１】本考案に係るプッシュスイッチの組立斜視図である。
【図２】本考案に係るプッシュスイッチの分解斜視図である。
【図３】図２に示すプッシュスイッチのほかの角度から見た分解斜視図である。
【図４】図１に示すＡ−Ａ線に沿うプッシュスイッチの断面図である。
【考案を実施するための形態】
【００１０】
以下、図１〜図４を参照しながら、本考案のプッシュスイッチ１００の実施形態について説明する。プッシュスイッチ１００は、絶縁樹脂からなる上方が開口する箱形のケース１と、ケース１の底壁１１の内面にインサート成形されて固定されている一対の金属板からなる固定接点２と、ケース１の収容空間１０の底部に配置される弾性金属薄板製でドーム状に形成される可動接点３と、ケース１の収容空間１０に上下動可能に収容されて可動接点３に当接する弾性体４と、弾性体４の上面に配置される操作部としての押ボタン５と、前記ケース１の開口部を覆うようにケース１に結合された金属板製のカバー６と、を含む。
【００１１】
前記ケース１は、底壁１１と、底壁１１の端縁から上方に延出する側壁１２と、を含み、底壁１１と側壁１２とは、収容空間１０を囲むように形成される。側壁１２の上端１３の隅には突部１３１がそれぞれ突出し、また、側壁１２の上端１３には収容空間１０と外部とを連通する溝１３３が設けられ、溝１３３は、可動接点３の上方の空間における内外の空気が流通可能な構成となっている。対向する一対の側壁１２の外部の底壁１１に隣接する箇所には、カバー６を保持するための係合突部１２１がそれぞれ突出するように配置される。
【００１２】
前記固定接点２は、ケース１の底壁１１の内面の外周位置にある周辺固定接点２１と、可動接点３の下面の中央位置での中央固定接点２２と、を備え、周辺固定接点２１および中央固定接点２２は、互いに電気的に独立して配置される。可動接点３のドーム状の外周部の下端３１が前記周辺固定接点２１上に載せられ、可動接点３のドーム部３２の下面は、前記中央固定接点２２に対してそのドームの高さでの間隔を空けて対面している。可動接点３のドーム部３２の下面に突点３２１が突出するように形成され、突点３２１により可動接点３のドーム部３２と中央固定接点２２との間に点接続を介して接続の安定性を向上している。
【００１３】
その弾性体４は、図４からも判るように、可動接点３の径とほぼ同一径の筒状の周囲部４１を備えると共に、その周囲部４１の中央孔内には、円柱部４３が上下動可能なように配置され、前記周囲部４１と円柱部４３とが薄肉部４２で連結構成されており、その円柱部４３の下端面には、小径で下方に突出する押圧部４３１を備え、押圧部４３１が前記周囲部４１の底部よりもケース１の底壁１に隣接している。前記周囲部４１の上端には、ケース１の側壁１２の上端１３とカバー６との間に保持されている保持部４４が折れ曲がり延出するように形成され、なお、該弾性体４の各部位は一体形成されている。そして、前記薄肉部４２は、円柱部４３の外周部の下方部分から延出形成されると共に下面が開口する円錐状部からなり、押圧部４３１の下面が、上記可動接点３のドーム部３２上に当接している。
【００１４】
弾性体４の円柱部４３の上端には押ボタン５が配置され、押ボタン５の収容孔５０が円柱部４３の上端を収容し、押ボタン５の両側の下部が弾性体４の周囲部４１の中央孔に収容されると共にカバー６に当接可能な係止部５２が設けられ、押ボタン５の上端の操作部５３は、操作部としてカバー６から突出している。押ボタン５により、弾性体４の円柱部４３の直径が小さくなってもよく、円柱部４３の直径が小さくなると前記薄肉部４２の長さが長くなり、このために、薄肉部４２の弾性変形能力が優れている。勿論、他の実施形態では、押ボタン５を省略して、電子機器の操作ボタンで直接に弾性体４の円柱部４３の上面を押すようにしてもよい。
【００１５】
カバー６は、上記ケース１の開口部を部分的に覆うようにケース１に結合された金属板製のカバーであり、中央部に中央円形孔６０が形成された基板６１を備え、その基板６１の中央円形孔６０から上記押ボタン５が上方に突出している。基板６１の両側縁から下向きに延出する側板６２に形成された係合部６２１がケース１に形成された係合突部１２１に係合することにより、カバー６がケース１に保持される。
【００１６】
このような構成のプッシュスイッチにおいて、押ボタン５の上端の操作部５３を所定の押圧力で押圧すると、押ボタン５を介して弾性体４の円柱部４３および薄肉部４２が下方に押し下げられ、押圧部４３１で可動接点３のドーム部３２がすぐに押圧され、所定の力が加わると可動接点３は、ドーム部３２がクリック感を伴って復元変形可能に反転変形する。これにより、中央位置に配置された中央固定接点２２に可動接点３の下面が当接し、可動接点３を介して周辺固定接点２１と中央固定接点２２とが導通される。可動接点３の空間内に存在する空気を圧縮していくこととなるが、ケース１の上端部に配置された溝１３３を介して空気の流通が可能な構成としてあるので、その空気の圧縮による操作などへの影響は殆どなく上記動作状態は、安定したものとなる。
【００１７】
この後、押ボタン５の操作部５３に加える押圧力を除くと、可動接点３のドーム部３２が自身の弾性復帰力により元のドーム形状に復帰しようとして押圧部４３１を介して押ボタン５を押し上げると共に、可動接点３のドーム部３２の下面も上方に向けて元の形状に復帰して中央固定接点２２から離れる。
【００１８】
すなわち、押ボタン５を介して弾性体４の円柱部４３の押圧部４３１を所定の押圧力で押圧すると、可動接点３のドーム部３２が弾性変形して動作し中央固定接点２２に導通され、押圧力を除くと、可動接点３のドーム部３２の弾性復帰力によって元の図４の状態に復帰する。
【００１９】
本考案に係るプッシュスイッチ１００は、弾性体４の押圧部４３１が可動接点３のドーム部３２に当接するので、押ボタン５を所定の押圧力で押圧すると、弾性体４の操作ストロークが短くなり、プッシュスイッチ１００の小型化に有利である。また、本考案の弾性体４の構造が簡素になり、金型の構造が簡素になっている。
【００２０】
以上本考案について最良の実施形態を参照して詳細に説明したが、実施形態はあくまでも例示的なものであり、これらに限定されない。また上述の説明は、本考案に基づきなしうる細部の修正或は変更など、いずれも本考案の請求範囲に属するものとする。
【符号の説明】
【００２１】
１００  プッシュスイッチ
１  ケース
２  固定接点
２１  周辺固定接点
２２  中央固定接点
３  可動接点
３２  ドーム部
４  弾性体
４１  周囲部
４２  薄肉部
４３  円柱部
４３１  押圧部
４４  保持部
５  押ボタン
６  カバー
【図１】
0003172749.tif 000003
【図２】
0003172749.tif 000004
【図３】
0003172749.tif 000005
【図４】
0003172749.tif 000006